(57)【要約】【課題】本発明は、記録メディア又はこれを収納する記録メディアケース等を、多様な形態で内部に保持することができる陳列ケースを提供する。【解決手段】本発明に係る記録メディア陳列ケースは、正面板と背面板、蓋側面板と本体側面板の２つの側面板、及び底面板と開口を設けた上端に画された外部表面と内部表面を有し、記録メディア又はこれを収納した記録メディアケース等の収容物を該開口から内部へ挿入することが出来る陳列ケースにおいて、内部表面に、前記開口から挿入した収容物を保持する１又は複数の収容物保持手段からなる収容物保持機構を有し、該収容物保持機構は、前記開口から挿入した収容物を、その上縁部を前記開口から外部へ突出させた展示状態、又は、その上端部を開口より下に納める収納状態で、内部に保持することができる。【選択図】  図１
2020183254.tif 000002
【特許請求の範囲】
【請求項１】
正面板と背面板、蓋側面板と本体側面板の２つの側面板、及び底面板と開口を設けた上端に画された外部表面と内部表面を有し、記録メディア又はこれを収納した記録メディアケース等の収容物を該開口から内部へ挿入することが出来る陳列ケースにおいて、
内部表面に、前記開口から挿入した収容物を保持する１又は複数の収容物保持手段（以下、「保持手段」ともいう）からなる収容物保持機構を有し、
該収容物保持機構は、前記開口から挿入した収容物を、その上縁部を前記開口から外部へ突出させた展示状態、及び／又は、その上端部を開口より下に納める収納状態で、内部に保持することができる記録メディア陳列ケース。
【請求項２】
前記記録メディア陳列ケースは、
前記蓋側面板に、前記正面板及び前記底面板を起立させた蓋ケースと、
前記本体側面板に、本体正面板及び本体底面板を起立させた本体ケースとが、
継手部を介して前記背面板と開閉自在に連結され、
該本体ケースの本体底面板と本体正面板とを、それぞれ該蓋ケースの底面板と正面板とが覆った閉状態で構成される、開閉可能な請求項１に記載の記録メディア陳列ケース。
【請求項３】
前記保持手段は、
前記内部表面に形成され、該内部表面方向に起立可能であると共に起立時に復元力を有するフリップと、
前記内部表面に形成され、起立させた該フリップの復元を阻止する復元阻止手段と、から構成され、
前記フリップは、
一方の外端部と他方の外端部とを有し、前記内部表面に穿設された薄肉溝と、内表面と外表面を外側縁部で画された板状のフリップ片とからなり、
該フリップ片は、前記一方の外端部と他方の外端部とを結ぶ外側切断線により前記内部表面と画されて前記外側縁部が形成され、該薄肉溝を軸として該内部表面方向に起立可能であると共に起立姿勢において復元力を有しており、
起立させた前記フリップ片を前記復元阻止手段に係止又は支持させて、該フリップの起立姿勢を維持可能であり、
起立姿勢の前記フリップ片が、前記開口から挿入した収容物の下端部を支持し、又は収容物の上端部の前記開口からの突出を制止し得る、
請求項１に記載の記録メディア陳列ケース。
【請求項４】
前記２つの側面板のうちの一方の側面板を貫通させて、該一方の側面板に形成された前記フリップ片の前記外側切断線と、該フリップ片と面一の該一方の側面板との間に指掛け孔を設けた、請求項３に記載の記録メディア陳列ケース。
【請求項５】
前記保持手段は、
前記内部表面に突設され、起立させた前記フリップの復元を阻止する復元阻止手段と、前記一方の側面板において、前記薄肉溝が前記復元阻止手段の直上に前記底面板と平行に穿設されて、前記フリップ片が該薄肉溝の前記底面板側に形成された前記フリップと、から構成され、
前記薄肉溝を軸にして起立した前記フリップ片が、前記復元阻止手段に係止又は支持され、起立状態の該フリップ片が、前記開口から挿入した収容物の下端部に当接してこれを展示状態又は収納状態で保持する、請求項１に記載の記録メディア陳列ケース。
【請求項６】
前記復元阻止手段は、前記正面板及び／又は前記背面板に突設された凸部又は傾斜状凸部であり、前記薄肉溝は、前記凸部又は傾斜状凸部の直上に、前記底面板と平行に穿設され、前記フリップ片の該正面板及び／又は該背面板に近接した外側縁部が、前記凸部又は傾斜状凸部を乗り越えて起立し、該凸部又は傾斜状凸部が該外側縁部を係止して起立状態のフリップ片の復元を阻止し、
該起立状態の該フリップ片が、前記開口から挿入した収容物の下端部に当接してこれを展示状態又は収納状態で保持する、請求項５に記載の記録メディア陳列ケース。
【請求項７】
前記復元阻止手段は、前記一方の側面板の、前記正面板及び／又は前記背面板の近傍に突設された凸部又は前記傾斜状凸部であり、
前記薄肉溝は、前記凸部又は傾斜状凸部の直上に、前記底面板と平行に穿設され、
前記フリップ片の該正面板及び／又は該背面板に近接した外側縁部に設けた切欠きが、前記凸部又は前記傾斜状凸部を乗り越えて起立し、該凸部又は傾斜状凸部が該切欠きを係止して起立状態のフリップ片の復元を阻止し、
該起立状態の該フリップ片が、前記開口から挿入した収容物の下端部に当接してこれを展示状態又は収納状態で保持する、請求項５に記載の記録メディア陳列ケース。
【請求項８】
前記保持手段は、
前記一方の側面板の、前記正面板及び／又は前記背面板の近傍に突設されたスペーサーと、
前記一方の側面板において、前記薄肉溝が前記スペーサーの直上に前記底面板と平行に穿設されて、前記フリップ片が該薄肉溝の前記開口側に形成された前記フリップと、
から構成され、
前記開口から挿入された収容物を受けて前記底面板方向に起立した前記フリップ片は、該正面板及び／又は該背面板に近接した外側縁部が、前記スペーサーに支持されて該収容物を展示状態又は収納状態で保持する、請求項１に記載の記録メディア陳列ケース。
【請求項９】
前記保持手段は、前記フリップにおいて、前記薄肉溝の中央に立設された凸部が前記復元阻止手段として機能するフリップホルダであって、
該フリップホルダは、
前記一方の外端部と他方の外端部とを内分する前記薄肉溝上の一方の内端部と他方の内端部との間の位置に凸部が立設され、
前記フリップ片が、
前記一方の外端部と他方の外端部とを結ぶ外側切断線により外側縁部が前記一方の側面板と画されると共に、前記凸部との間に空隙を設けて前記一方の内端部と他方の内端部とを結ぶ内側切断線により内側縁部が該一方の側面板と画され、
前記薄肉溝を軸として前記外側縁部を内部表面方向に持ち上げた前記フリップ片の前記内側縁部が、前記凸部を乗り越えて前記側面板の内部表面方向に起立可能であると共に、起立させた前記フリップ片を前記凸部に係止させて、該フリップの起立姿勢を維持可能であり、
起立姿勢の前記フリップ片が、前記開口から挿入した収容物の下端部を支持し、又は収容物の上端部の前記開口からの突出を制止し得る、請求項１に記載の記録メディア陳列ケース。
【請求項１０】
前記保持手段は、請求項９に記載のフリップホルダであり、
前記薄肉溝が前記一方の内端部と他方の内端部間で分断されて、
一方の外端部、一方の内端部を有する一方の薄肉溝、及び、他方の内端部、他方の外端部を有する他方の薄肉溝の２つの薄肉溝、から構成され、
該２つの薄肉溝に挟まれた位置に凸部が立設されており、
前記フリップ片が、
前記一方の外端部と他方の外端部とを結ぶ外側切断線により外側縁部が前記一方の側面板と画されると共に、前記凸部との間に空隙を設けて前記一方の内端部と他方の内端部とを結ぶ内側切断線により内側縁部が該一方の側面板と画され、
前記一方の薄肉溝と前記他方の薄肉溝を軸として前記外側縁部を内部表面方向に持ち上げた前記フリップ片の前記内側縁部が、前記凸部を乗り越えて前記側面板の内部表面方向に起立可能であり、
起立させた前記フリップ片の復元を前記凸部が阻止することができる、記録メディア陳列ケース。
【請求項１１】
前記保持手段は、請求項９に記載のフリップホルダであり、
前記一方の内端部と他方の内端部との間の位置に、先端凸部を前記内部表面から突出させるように穿設された凹部が前記復元阻止手段として機能し、
前記フリップ片が、
前記一方の外端部と他方の外端部とを結ぶ外側切断線により外側縁部が前記一方の側面板と画されると共に、前記先端凸部との間に空隙を設けて前記一方の内端部と他方の内端部とを結ぶ内側切断線により内側縁部が該一方の側面板と画され、
前記一方の薄肉溝と前記他方の薄肉溝を軸として前記外側縁部を内部表面方向に持ち上げたフリップ片の前記内側縁部が、前記凹部の先端凸部を乗り越えて前記側面板の内部表面方向に起立可能であり、
起立させた前記フリップ片の復元を前記先端凸部が阻止することができる、記録メディア陳列ケース。
【請求項１２】
前記保持手段は、
前記薄肉溝が、前記正面板及び前記背面板と平行に、前記一方の側面板に穿設され、
前記フリップ片は、前記開口側の縁部に相当する上縁部が、前記底面板と平行な平坦部を有する請求項９乃至請求項１１のいずれか１項に記載のフリップホルダであり、
起立状態の該フリップ片上縁部の該平坦部が、前記開口から挿入した収容物の下端部に当接してこれを展示状態又は収納状態で保持する、記録メディア陳列ケース。
【請求項１３】
前記保持手段は、
前記薄肉溝が前記一方の側面板に前記底面板と平行に穿設された前記フリップと、
該一方の側面板と対向する他方の側面板に、前記底面板と略直角方向に薄肉溝が穿設された前記フリップホルダと、から構成され、
１又は複数の該フリップホルダが前記復元阻止手段として１又は複数の該フリップを支持するフリップ−フリップホルダ組合せ型の保持手段であって、
前記一方の側面板の内部表面側に起立した１又は複数の前記フリップを、前記他方の側面板の内部表面側に起立した１又は複数の前記フリップホルダが支持して、
前記一方の側面板に起立した１又は複数の前記フリップのフリップ片が、前記開口から挿入した収容物の下端部に当接してこれを展示状態又は収納状態で保持する、請求項１に記載の記録メディア陳列ケース。
【請求項１４】
前記保持手段は、
前記一方の側面板に、逆Ｌ字状に立設された受け部を含み、
逆Ｌ字状の前記受け部は、前記底面板と平行な底部と、該底部の先端に、前記一方の側面板と平行に設けられた抑え部と、からなり、
前記底部が、該開口から挿入した収容物の下端部を支持すると共に、前記抑え部が、前記底部により下端部を支持された該収容物の揺動を抑止して、これを展示状態又は収納状態で保持する、請求項１に記載の記録メディア陳列ケース。
【請求項１５】
メディアディスクの中央に設けられた穴部に、中央に設けた穴部を一致させて該メディアディスクを挿入した袋状記録メディアケースを収容可能な請求項１に記載の記録メディア陳列ケースであって、
前記保持手段は、前記蓋側面板及び／又は前記本体側面板に突設させた嵌合部を含み、
前記嵌合部を、前記袋状記録メディアケース及び／又はメディアディスクの穴部に嵌合させてこれを展示状態又は収納状態で保持する、記録メディア陳列ケース。
【請求項１６】
前記保持手段は、前記薄肉溝が前記底面板と平行に前記一方の側面板に穿設された、前記上端近傍に設けられたフリップホルダであり、
前記一方の側面板に起立した前記フリップホルダのフリップ片が、前記開口から挿入された収容物の上端部に当接してこれを収納状態で保持し得る、請求項１に記載の記録メディア陳列ケース。
【請求項１７】
前記収容物保持機構は、ｎ個の保持手段（ｎは２以上の整数）から構成され、
該ｎ個の保持手段が、前記底面板からの距離がｄｋ（ｄｋ＞ｄｋ−１；ｋ＝２、・・・、ｎ）となるように、該底面板と平行に前記内部表面に形成された請求項１に記載の記録メディア陳列ケースであって、
前記開口から挿入する収容物によって、該底面板からの距離ｄｋの前記保持手段を選択可能であり、
選択された保持手段により、前記開口から挿入した収容物を展示状態又は収納状態で保持可能な記録メディア陳列ケース。
【発明の詳細な説明】
【技術分野】
【０００１】
本発明は、ＤＶＤ、ＣＤ、ゲームソフト記録媒体等の記録メディア又は記録メディアを入れた記録メディアケースを収容する記録メディア陳列ケース（以下、「陳列ケース」ともいう）に関する。
【背景技術】
【０００２】
デジタルデータを記録した記録メディア（あるいは「記録媒体」ともいう）には多くの種類があり、大きさも大小様々である。代表的な記録メディアとしてディスク型のＣＤ（Compact Disk）やＤＶＤ（Digital Versatile Disk）などがあるが、比較的最近ではカード型のゲームソフト記録媒体も多く出回っている。これらの記録メディアは、半導体メモリ、磁気ディスク、光ディスク等であり、円盤型やカード型などの形態をとる。
【０００３】
このような記録メディアを保管、販売する際は、これを保護するプラスチック製函体や薄型の袋状ケースなどの記録メディアケースに収納して取り扱う。更に、レンタルショップなどで記録メディアを展示・陳列する際は、記録メディアケースの上縁部に貼付したタイトル等が消費者に見えるように、記録メディアケースの上縁部を記録メディア陳列ケースの上部開口から突出させて収容する場合が多い。
【０００４】
例えば記録メディアを展示・陳列する際は、図２１のように、ＤＶＤ等のディスクを記録メディアケース（ロ）に入れて陳列ケース（イ）に収容して陳列等を行う。そして、この陳列ケース（イ）はレンタルショップ等の店頭の陳列棚に配列され、客は上縁部が突出した記録メディアケース（ロ）を抜き取って借りることが出来る。このような陳列ケースには低コスト化と薄型化が求められ、ケース自身の厚さと構成部材の厚さの極薄化が進んでいる。
【０００５】
また、記録メディアを保管したり販売したりする際は、上記のようにプラスチック製函体や薄型の袋状ケースなどの記録メディアケースに収納して取り扱うが、プラスチック製函体は体積が大きく場所を取るため、保管には薄型の袋状ケースを使用する方が効率的である。袋状ケースを引出しに入れて保管したり、その綴じ部を束ねて台帳のようにして保管したりする。
【０００６】
このように記録メディアケースや記録メディア陳列ケースの薄型化が進んでいるが、紙媒体を含めた記録メディアは年々新作が大量に生産されるため、更に効率よく記録メディアを収納できる記録メディアケースおよび記録メディア陳列ケースが求められている。
【０００７】
【特許文献１】特許第４９５１３３３号公報
【特許文献２】特許第５２４８８５０号公報
【発明の概要】
【発明が解決しようとする課題】
【０００８】
このような問題に鑑み、本発明は、記録メディア又はこれを収納する記録メディアケース等を、多様な形態で内部に保持することができる陳列ケースを提供する。
【課題を解決するための手段】
【０００９】
１．収容物保持機構
（記録メディア陳列ケース）
本発明に係る記録メディア陳列ケースは、正面板と背面板、蓋側面板と本体側面板の２つの側面板、及び底面板と開口を設けた上端に画された外部表面と内部表面を有し、記録メディア又はこれを収納した記録メディアケース等の収容物を該開口から内部へ挿入することが出来る陳列ケースにおいて、内部表面に、前記開口から挿入した収容物を保持する１又は複数の収容物保持手段（以下、「保持手段」ともいう）からなる収容物保持機構を有し、該収容物保持機構は、前記開口から挿入した収容物を、その上縁部を前記開口から外部へ突出させた展示状態、及び／又は、その上端部を前記開口より下に納める収納状態で、内部に保持することができる。
【００１０】
ここで、記録メディアケース等の収容物の「端部」とは、例えば直方体の記録メディアケースの正面図又は背面図における４辺及びこれを含む端面をいい、「縁部」とは、この正面図又は背面図における４辺を含む周辺部分をいう。また、上記のように、以下本明細書において「展示状態」とは、前記開口から挿入した収容物の上縁部を前記開口から外部へ突出させた状態をいい、「収納状態」とは、収容物の上端部を前記開口又は前記上端より下に沈め、あるいは前記開口等より下に納めて（沈めて）蓋をした状態をいう。
【００１１】
（開閉型陳列ケース）
上記本発明に係る記録メディア陳列ケースは、その上端は開口のみでもよく、前記蓋側面板に前記正面板及び前記底面板を起立させた蓋ケースと、前記本体側面板に、本体正面板及び本体底面板を起立させた本体ケースとが、継手部を介して前記背面板と開閉自在に連結され、該本体ケースの本体底面板と本体正面板とを、それぞれ該蓋ケースの底面板と正面板とが覆った閉状態で構成されてもよい。
【００１２】
このような本発明の記録メディア陳列ケースに収容する収容物は、主にデジタルデータを電磁気的に固定可能な記録メディア（記録媒体）又はこれを収納した記録メディアケースであるが、特にこれらに限定されるわけではなく、コミック、雑誌、冊子等の本類や紙製カード、用紙などの紙媒体に情報を固定する記録メディアも含み、その他開口から挿入可能なあらゆるものを収容物に含み得る。
【００１３】
このうちデジタルデータを電磁気的に固定可能な記録メディアとは、情報を電磁気的に記録可能な記録媒体であり、上述のように半導体メモリ、磁気ディスク、光ディスク等があり、円盤型や方形盤型、カード型などの形態をとる。このうち、ディスク型のＣＤ（Compact Disk）やＤＶＤ（Digital Versatile Disk）などは「メディアディスク」とも呼ばれ、指を挿入したり専用ケースに固定したりするための穴が中央に穿設されたものをいう。なお、以下本明細書においては、簡単のため、「メディアディスク」を「ディスク」と、記録メディアを収納するケースを「記録メディアケース」と、「記録メディア陳列ケース」を単に「陳列ケース」とも呼ぶこともある。
２．フリップを用いた保持手段
２−１．フリップを用いた保持手段の基本構成
【００１４】
（フリップ）
本発明に係る記録メディア陳列ケースにおいて、前記保持手段は、前記内部表面に形成され、該内部表面方向に起立可能であると共に起立時に復元力を有するフリップと、前記内部表面に形成され、起立させた該フリップの復元を阻止する復元阻止手段と、から構成され、
前記フリップは、一方の外端部と他方の外端部とを有し、前記内部表面に穿設された薄肉溝と、内表面と外表面を外側縁部で画された板状のフリップ片とからなり、該フリップ片は、前記一方の外端部と他方の外端部とを結ぶ外側切断線により前記内部表面と画されて前記外側縁部が形成され、該薄肉溝を軸として該内部表面方向に起立可能であると共に起立姿勢において復元力を有しており、起立させた前記フリップ片を前記復元阻止手段に係止又は支持させて、該フリップの起立姿勢を維持可能であり、起立姿勢の前記フリップ片が、前記開口から挿入した収容物の下端部を支持し、又は収容物の上端部の前記開口からの突出を制止し得る。
【００１５】
（フリップ；指掛け孔）
本発明に係る記録メディア陳列ケースは、前記２つの側面板のうちの一方の側面板を貫通させて、該一方の側面板に形成された前記フリップ片の前記外側切断線と、該フリップ片と面一の該一方の側面板との間に指掛け孔を設けるのが好適である。
２−２．側面版上の底面板と平行なフリップを用いた保持手段
【００１６】
（底面板と平行なフリップを用いた保持手段）
本発明に係る記録メディア陳列ケースにおいて、前記保持手段は、前記内部表面に突設され、起立させた前記フリップの復元を阻止する復元阻止手段と、前記一方の側面板において、前記薄肉溝が前記復元阻止手段の直上に前記底面板と平行に穿設されて、前記フリップ片が該薄肉溝の前記底面板側に形成された上記フリップと、から構成され、前記薄肉溝を軸にして起立した前記フリップ片が、前記復元阻止手段に係止又は支持され、起立状態の該フリップ片が、前記開口から挿入した収容物の下端部に当接してこれを展示状態又は収納状態で保持することができる。
【００１７】
（フリップと凸部を用いた保持手段）
本発明に係る記録メディア陳列ケースにおいて、前記復元阻止手段は、前記正面板及び／又は前記背面板に突設された凸部又は傾斜状凸部であり、前記薄肉溝は、前記凸部又は傾斜状凸部の直上に、前記底面板と平行に穿設され、前記フリップ片の該正面板及び／又は該背面板に近接した外側縁部が、前記凸部又は傾斜状凸部を乗り越えて起立し、該凸部又は傾斜状凸部が該外側縁部を係止して起立状態のフリップ片の復元を阻止し、該起立状態の該フリップ片が、前記開口から挿入した収容物の下端部に当接してこれを展示状態又は収納状態で保持することができる。
【００１８】
（フリップと凸部を用いた保持手段）
本発明に係る記録メディア陳列ケースにおいて、前記復元阻止手段は、前記一方の側面板の、前記正面板及び／又は前記背面板の近傍に突設された凸部又は前記傾斜状凸部であり、前記薄肉溝は、前記凸部又は傾斜状凸部の直上に、前記底面板と平行に穿設され、前記フリップ片の該正面板及び／又は該背面板に近接した外側縁部に設けた切欠きが、前記凸部又は前記傾斜状凸部を乗り越えて起立し、該凸部又は傾斜状凸部が該切欠きを係止して起立状態のフリップ片の復元を阻止し、該起立状態の該フリップ片が、前記開口から挿入した収容物の下端部に当接してこれを展示状態又は収納状態で保持することができる。
【００１９】
（フリップとスペーサーを用いた保持手段）
本発明に係る記録メディア陳列ケースにおいて、前記保持手段は、前記一方の側面板の、前記正面板及び／又は前記背面板の近傍に突設されたスペーサーと、前記一方の側面板において、前記薄肉溝が前記スペーサーの直上に前記底面板と平行に穿設されて、前記フリップ片が該薄肉溝の前記開口側に形成された上記フリップと、から構成され、前記開口から挿入された収容物を受けて前記底面板方向に起立した前記フリップ片は、該正面板及び／又は該背面板に近接した外側縁部が、前記スペーサーに支持されて該収容物を展示状態又は収納状態で保持することができる。
２−３．フリップホルダを用いた保持手段
【００２０】
（フリップホルダ；凸部型復元阻止手段）
本発明に係る記録メディア陳列ケースにおいて、前記保持手段は、上記フリップにおいて、前記薄肉溝の中央に立設された凸部が前記復元阻止手段として機能するフリップホルダであって、
該フリップホルダは、前記一方の外端部と他方の外端部を内分する前記薄肉溝上の一方の内端部と他方の内端部間に凸部が立設され、前記フリップ片が、前記一方の外端部と他方の外端部とを結ぶ外側切断線により外側縁部が前記一方の側面板と画されると共に、前記凸部との間に空隙を設けて前記一方の内端部と他方の内端部とを結ぶ内側切断線により内側縁部が該一方の側面板と画され、前記薄肉溝を軸として前記外側縁部を内部表面方向に持ち上げた前記フリップ片の前記内側縁部が、前記凸部を乗り越えて前記側面板の内部表面方向に起立可能であると共に、起立させた前記フリップ片を前記凸部に係止させて、該フリップの起立姿勢を維持可能であり、起立姿勢の前記フリップ片が、前記開口から挿入した収容物の下端部を支持し、又は収容物の上端部の前記開口からの突出を制止し得る。
【００２１】
（フリップホルダ；凸部型復元阻止手段）
本発明に係る記録メディア陳列ケースにおいて、前記保持手段は上記フリップホルダであり、前記薄肉溝が前記一方の内端部と他方の内端部間で分断されて、一方の外端部、一方の内端部を有する一方の薄肉溝、及び、他方の内端部、他方の外端部を有する他方の薄肉溝の２つの薄肉溝、から構成され、該２つの薄肉溝に挟まれた位置に凸部が立設されており、前記フリップ片が、前記一方の外端部と他方の外端部とを結ぶ外側切断線により外側縁部が前記一方の側面板と画されると共に、前記凸部との間に空隙を設けて前記一方の内端部と他方の内端部とを結ぶ内側切断線により内側縁部が該一方の側面板と画され、前記一方の薄肉溝と前記他方の薄肉溝を軸として前記外側縁部を内部表面方向に持ち上げた前記フリップ片の前記内側縁部が、前記凸部を乗り越えて前記側面板の内部表面方向に起立可能であり、起立させた前記フリップ片の復元を前記凸部が阻止することができる。
【００２２】
（フリップホルダ；凹部型復元阻止手段）
本発明に係る記録メディア陳列ケースにおいて、前記保持手段は上記フリップホルダであり、前記一方の内端部と他方の内端部間に、先端凸部を前記内部表面から突出させるように穿設された凹部が前記復元阻止手段として機能し、前記フリップ片が、前記一方の外端部と他方の外端部とを結ぶ外側切断線により外側縁部が前記一方の側面板と画されると共に、前記先端凸部との間に空隙を設けて前記一方の内端部と他方の内端部とを結ぶ内側切断線により内側縁部が該一方の側面板と画され、前記一方の薄肉溝と前記他方の薄肉溝を軸として前記外側縁部を内部表面方向に持ち上げたフリップ片の前記内側縁部が、前記凹部の先端凸部を乗り越えて前記側面板の内部表面方向に起立可能であり、起立させた前記フリップ片の復元を前記先端凸部が阻止することができる。
２−４．フリップホルダを用いた保持手段の実施例
【００２３】
（フリップホルダを用いた保持手段）
本発明に係る記録メディア陳列ケースにおいて、前記保持手段は、前記薄肉溝が、前記正面板及び前記背面板と平行に、前記一方の側面板に穿設され、前記フリップ片は、前記開口側の縁部に相当する上縁部が、前記底面板と平行な平坦部を有する上記フリップホルダであり、起立状態の該フリップ片上縁部の該平坦部が、前記開口から挿入した収容物の下端部に当接してこれを展示状態又は収納状態で保持することができる。
【００２４】
（フリップ−フリップホルダ組合せ型保持手段）
本発明に係る記録メディア陳列ケースにおいて、前記保持手段は、前記薄肉溝が前記一方の側面板に前記底面板と平行に穿設された前記フリップと、該一方の側面板と対向する他方の側面板に、前記底面板と略直角方向に薄肉溝が穿設された前記フリップホルダと、から構成され、１又は複数の該フリップホルダが前記復元阻止手段として１又は複数の該フリップを支持するフリップ−フリップホルダ組合せ型の保持手段であって、
前記一方の側面板の内部表面側に起立した１又は複数の前記フリップを、前記他方の側面板の内部表面側に起立した１又は複数の前記フリップホルダが支持して、前記一方の側面板に起立した１又は複数の前記フリップのフリップ片が、前記開口から挿入した収容物の下端部に当接してこれを展示状態又は収納状態で保持することができる。
３．その他の保持手段
【００２５】
（受け部）
本発明に係る記録メディア陳列ケースにおいて、前記保持手段は、前記一方の側面板に、逆Ｌ字状に立設された受け部を含み、逆Ｌ字状の前記受け部は、前記底面板と平行な底部と、該底部の先端に、前記一方の側面板と平行に設けられた抑え部と、からなり、前記底部が、該開口から挿入した収容物の下端部を支持すると共に、前記抑え部が、前記底部により下端部を支持された該収容物の揺動を抑止して、これを展示状態又は収納状態で保持することができる。
【００２６】
（袋状記録メディアケースを収容可能な記録メディア陳列ケース）
本発明に係る記録メディア陳列ケースは、メディアディスクの中央に設けられた穴部に、中央に設けた穴部を一致させて該メディアディスクを挿入した袋状記録メディアケースを収容可能な上記記録メディア陳列ケースであって、
前記保持手段は、前記蓋側面板及び／又は前記本体側面板に突設させた嵌合部を含み、前記嵌合部を、前記袋状記録メディアケース及び／又はメディアディスクの穴部に嵌合させてこれを展示状態又は収納状態で保持することができる。
【００２７】
（フリップホルダ型蓋部）
本発明に係る記録メディア陳列ケースにおいて、前記保持手段は、前記薄肉溝が前記底面板と平行に前記一方の側面板に穿設された、前記上端近傍に設けられたフリップホルダであり、前記一方の側面板に起立した前記フリップホルダのフリップ片が、前記開口から挿入された収容物の上端部に当接してこれを収納状態で保持し得る。
４．保持手段を組み合わせた記録メディア陳列ケースの実施例
【００２８】
（ｎ段の保持手段からなる収容物保持機構）
本発明に係る記録メディア陳列ケースにおいて、前記収容物保持機構は、ｎ個の保持手段（ｎは２以上の整数）から構成され、該ｎ個の保持手段が、前記底面板からの距離がｄｋ（ｄｋ＞ｄｋ−１；ｋ＝２、・・・、ｎ）となるように、該底面板と平行に前記内部表面に形成された記録メディア陳列ケースであって、
前記開口から挿入する収容物によって、該底面板からの距離ｄｋの前記保持手段を選択可能であり、選択された保持手段により、前記開口から挿入した収容物を展示状態又は収納状態で保持可能である。
【００２９】
（記録メディア陳列ケース）
このような本発明に係る記録メディア陳列ケースは、例えば、正面板と背面板、蓋側面板と本体側面板の２つの側面板、及び底面板と開口を設けた上端に画された外部表面と内部表面を有し、記録メディア又はこれを収納した記録メディアケース等の収容物を該開口から内部へ挿入することが出来る陳列ケースにおいて、
内部表面に、前記開口から挿入した収容を保持する複数の保持手段からなる収容物保持機構を有し、該収容物保持機構が、前記開口から挿入した収容物を、その上縁部を前記開口から外部へ突出させた展示状態、及び、その上端部を開口より下に納める収納状態で、内部に保持することができる陳列ケースであって、
少なくとも１つの前記保持手段は、前記内部表面に形成され、該内部表面方向に起立可能であると共に起立時に復元力を有するフリップと、前記内部表面に形成され、起立させた該フリップの復元を阻止する復元阻止手段と、から構成され、
前記フリップは、一方の外端部と他方の外端部とを有し、前記内部表面に穿設された薄肉溝と、内表面と外表面を外側縁部で画された板状のフリップ片とからなり、該フリップ片は、前記一方の外端部と他方の外端部とを結ぶ切断線により前記内部表面と画されて前記外側縁部が形成され、該薄肉溝を軸として該内部表面方向に起立可能であると共に起立姿勢において復元力を有しており、起立させた前記フリップ片を前記復元阻止手段に係止又は支持させて、該フリップの起立姿勢を維持可能である。
【発明の効果】
【００３０】
本発明に係る記録メディア陳列ケースは、紙媒体を含めた記録メディア及び／又はこれを収納する記録メディアケースを収容することができ、例えばレンタルショップや図書館等の書棚などで陳列可能なケースである。その大きさ、形状は、収容する多くの種類の記録メディア（記録媒体）に対応させることができ、様々な態様に形成することができる。
【００３１】
本発明の記録メディア陳列ケースは、内部表面に１又は複数の収容物保持手段からなる収容物保持機構を有するので、収容物保持手段がケースの開口から挿入した収容物を支持ないし保持して、この挿入した収容物をケース内部に保持することができる。すなわち、記録メディア陳列ケースにおいて、ケースの底面板からの距離がｄとなるように設けられた収容物保持手段は、開口から挿入する収容物の種類及び距離ｄに従って、当該収容物を、その上縁部をケースの開口から外部へ突出させた展示状態、又は、その上端部を開口より下に沈めた収納状態で、内部に保持することができる。
【００３２】
このような本発明に係る記録メディア陳列ケースの収容物保持機構は、種々の収容物保持手段から構成することができ、あるいは、これらの種々の収容物保持手段を組み合わせて構成することができる。本発明に係る記録メディア陳列ケースにおいて、収容物保持機構を構成する保持手段には、以下のような形態がある。
（Ａ）陳列ケースの底面板と平行なフリップを用いた保持手段
フリップを用いた保持手段は、記録メディア陳列ケースの側面板に設けたフリップとこのフリップの復元を阻止する復元阻止手段とから構成される保持手段であり、以下のような形態がある。
（１）フリップと凸部を用いた保持手段
復元阻止手段として、記録メディア陳列ケースの正面板及び／又は背面板あるいは側面板に凸部を突設させ、これにフリップを係止させて収容物を保持することができる。
（２）フリップとスペーサーを用いた保持手段
側面板の、正面板及び／又は背面板の近傍に、復元阻止手段としてスペーサーを突設させ、開口から挿入された収容物を受けて底面板方向に起立したフリップをスペーサーが支持して収容物を保持することができる。
（Ｂ）フリップホルダを用いた保持手段
フリップホルダを用いた保持手段は、フリップと復元阻止手段とが一体化されたフリップホルダを用いた保持手段であり、フリップを用いた保持手段の一種といえ、以下のような形態がある。
（３）凸部型復元阻止手段を有するフリップホルダ
薄肉溝中央に凸部型復元阻止手段を設けたフリップホルダが、ホルダ片を凸部型復元阻止手段に係止させて陳列ケースの内部表面方向に起立姿勢を維持し、収容物を保持することができる。
（４）凹部型復元阻止手段を有するフリップホルダ
薄肉溝中央に凹部型復元阻止手段を設けたフリップホルダが、ホルダ片を凹部型復元阻止手段の先端凸部に係止させて陳列ケースの内部表面方向に起立姿勢を維持し、収容物を保持することができる。
（５）フリップ−フリップホルダ組合せ型保持手段
起立したフリップホルダが復元阻止手段として機能し、陳列ケースの底面板と平行に起立したフリップを支持して、収容物を保持することができる。
（６）蓋部
陳列ケースの上端近傍に設けられたフリップホルダが蓋として機能し（フリップホルダ型蓋部）、開口から挿入された収容物の上端部に当接してこれを収納状態で保持することができる。
（Ｃ）その他の保持手段  
フリップを用いないその他の保持手段として、
（７）逆Ｌ字状の受け部
陳列ケースの側面板に設けられた逆Ｌ字状の受け部の底部が、開口から挿入した収容物の下端部を支持すると共に、その抑え部が収容物の揺動を抑止して、収容物を保持することができる。
（８）嵌合部
陳列ケースの側面板に突設させた嵌合部が、メディアディスク又はこれを収納した袋状記録メディアケースの中央に設けられた穴部に嵌合して、当該収容物を保持することができる。
【００３３】
本発明に係る記録メディア陳列ケースにおいて、収容物保持機構が複数のｎ個の保持手段（ｎは２以上の整数）から構成される場合は、このｎ個の保持手段を、記録メディア陳列ケースの底面板からの距離がｄｋ（ｄｋ＞ｄｋ−１；ｋ＝２、・・・、ｎ）となるように、ケースの底面板と平行にケース内部表面に形成することができる。このｎ個の保持手段としては、上記（１）〜（８）の保持手段を任意に選んで組み合わせることができる。そして、開口から挿入する収容物の種類によって、底面板からの距離ｄｋの保持手段を選択可能することができ、選択された保持手段が、ケースの開口から挿入した収容物を展示状態又は収納状態でケース内部に保持することができる。
【００３４】
したがって、例えば、ＤＶＤを収納した記録メディアケースを収容物とすると、適当な距離ｄｋの保持手段を選択可能することにより、タイトルなどが表示されたＤＶＤの記録メディアケースの上縁部を開口から頭出しした展示状態で、本発明の記録メディア陳列ケースに当該ＤＶＤ記録メディアケースを収容することができる。また、例えば、ｄｋ−１＜ｄｋである距離ｄｋ−１の保持手段を選択すると、ＤＶＤの記録メディアケースの上端部を開口より下に沈めた収納状態で、本発明の記録メディア陳列ケースに当該ＤＶＤ記録メディアケースを収容することができる。さらに、この収納状態で、開口された上端近傍に設けられたフリップホルダを起立させれば、ＤＶＤの記録メディアケースの開口からの突出を制止することができ、蓋をした記録メディア陳列ケース内に保持することができる。
【００３５】
記録メディア陳列ケースに収容する収容物は例えば記録メディアであり、記録メディアには上記のようにＣＤやＤＶＤ、ゲームソフト記録媒体等多くの種類があり、大きさも大小様々で、形状も円盤型やカード型などの形態があるが、本発明の記録メディア陳列ケースは、何れの記録メディア及びこれを収納する記録メディアにも対応可能である。すなわち、本発明の記録メディア陳列ケースの大きさは任意であり、また、陳列ケースの開口から挿入可能であれば、保持手段を選択することにより、異なる大きさの収容物に対応することができる。さらに、同一の収容物に対しても、保持手段を選択することにより、展示状態でも収納状態でも、その内部に保持することができる。
【図面の簡単な説明】
【００３６】
【図１】本発明に係る記録メディア陳列ケースにおける蓋側面板又は本体側面板の内部表面正面図。
【図２】本発明に係る記録メディア陳列ケースの他の実施形態の内部表面正面図。
【図３】本発明に係る記録メディア陳列ケースの他の実施形態の内部表面正面図。
【図４】（ａ）（ｂ）指掛け孔が異なる２つのタイプの本発明に係る凸部型復元阻止手段を備えるフリップホルダの正面拡大図。
【図５】本発明に係る凸部型復元阻止手段を備えるフリップホルダを起立させる工程の前工程（上段）と、これを起立させる工程（中段）、及びこれを凸部に係止する工程（下段）のそれぞれ斜視図。
【図６】本発明に係る凸部型復元阻止手段を備えるフリップホルダを起立させる工程の前工程（上段）と、これを起立させる工程（中段）、及びこれを凸部に係止する工程（中段）のそれぞれ断面拡大図。
【図７】（ａ）（ｂ）指掛け孔が異なる２つのタイプの本発明に係る凹部型復元阻止手段を備えるフリップホルダの正面拡大図。
【図８】本発明に係る凹部型復元阻止手段を備えるフリップホルダを起立させる工程の前工程（上段）と、これを起立させる工程（中段）、及びこれを先端凸部に係止する工程（下段）のそれぞれ斜視図。
【図９】本発明に係る凹部型復元阻止手段を備えるフリップホルダを起立させる工程の前工程（上段）と、これを起立させる工程（中段）、及びこれを凸部に係止する工程（中段）のそれぞれ断面拡大図。
【図１０】（ａ）（ｂ）指掛け孔が異なる２つのタイプの本発明に係るフリップホルダの正面拡大図。
【図１１】本発明に係るフリップホルダを用いた保持手段の正面図（左図）及び断面図（右図）であって、（ａ）本体側面板又は蓋側面板に突設された凸部と両端に切欠きを形成したフリップホルダからなる保持手段の正面図（左図）とそのＡ−Ａ断面図（右図）、（ｂ）背面板及び正面板に突設された凸部とフリップホルダからなる保持手段の正面図（左図）とＢ−Ｂ断面から見た凸部とフリップホルダの側面図（右図）、（ｃ）本体側面板又は蓋側面板に突設されたスペーサーとフリップホルダからなる保持手段の正面図（左図）とそのＣ−Ｃ断面図（右図）。
【図１２】側面版の背面板近傍に突設させた傾斜状凸部（凹部型復元阻止手段）を乗り超えて切欠き付きフリップホルダを起立させる工程の前工程（上段）と、これを起立させる工程（中段）、及びこれを傾斜状凸部に係止する工程（下段）のそれぞれ斜視図。
【図１３】背面板近傍に突設させた傾斜状凸部（凹部型復元阻止手段）を乗り超えてフリップホルダを起立させる工程の前工程（上段）と、これを起立させる工程（中段）、及びこれを傾斜状凸部に係止する工程（下段）のそれぞれ斜視図。
【図１４】保持手段がｎ段に設けられた本発明に係る記録メディア陳列ケースにおける蓋側面板又は本体側面板の内部表面正面図。
【図１５】蓋部を設けた記録メディア陳列ケースにおける、（ａ）当該陳列ケースの内部表面正面図、（ｂ）フリップホルダとフリップホルダ型蓋部を起立させた当該陳列ケースの内部表面正面図。
【図１６】嵌合部を設けた記録メディア陳列ケースにおける、（ａ）当該陳列ケースの内部表面正面図、（ｂ）フリップホルダを起立させた当該陳列ケースの内部表面正面図。
【図１７】蓋部を設けた記録メディア陳列ケースにおける、（ａ）当該陳列ケースの内部表面斜視図、（ｂ）挿入した記録メディアケースをフリップホルダが支持する当該陳列ケースの内部表面斜視図、（ｃ）挿入した記録メディアケースを記録メディアケース受け部が支持すると共にフリップホルダ型蓋部を起立させた当該陳列ケースの内部表面斜視図。
【図１８】嵌合部を設けた記録メディア陳列ケースにおける、（ａ）当該陳列ケースの内部表面斜視図、（ｂ）挿入した記録メディアケースをフリップホルダが支持する当該陳列ケースの内部表面斜視図、（ｃ）挿入した記録メディアケースの穴部を嵌合部に嵌合させた当該陳列ケースの内部表面斜視図。
【図１９】蓋部と嵌合部を設けた記録メディア陳列ケースにおける、（ａ）当該陳列ケースの内部表面斜視図、（ｂ）挿入した記録メディアケースをフリップホルダが支持する当該陳列ケースの内部表面斜視図、（ｃ）挿入した記録メディアケースの穴部を嵌合部に嵌合させると共にフリップホルダ型蓋部を起立させた当該陳列ケースの内部表面斜視図。
【図２０】本発明に係る記録メディア陳列ケースの外部表面斜視図。
【図２１】従来の記録メディア陳列ケースの外部表面斜視図。
【図２２】（ａ）（ｂ）異なる２つのタイプの袋状メディア記録メディアケースの正面図。
【発明を実施するための形態】
【００３７】
以下、図面を参照しながら本発明に係る記録メディア陳列ケースの実施形態、実施例について説明する。なお、以下本明細書において、本発明に係る「記録メディア陳列ケース」を、「記録メディア陳列ケース」又は「陳列ケース」ともいい、各図面を通して同一の構成要素には同一の符号を使用するものとする。
１．収容物保持機構
【００３８】
（収容物保持機構）
本発明に係る記録メディア陳列ケース１０は、例えば図２０に示すように、正面板１４Ｃと背面板１３、蓋側面板１１Ｃと本体側面板１１Ｂの２つの側面板１１Ｃ、１１Ｂ、及び底面板１５Ｃと開口１７を設けた上端１６に画された外部表面と内部表面を有し、記録メディア又はこれを収納した記録メディアケース等の収容物を該開口１７から内部へ挿入することが出来るケース１０である。上端１６は開口１７のみであってもよい。
【００３９】
本発明の記録メディア陳列ケース１０は、例えば図１、図１５、図１６に示すように、内部表面に開口１７から挿入した収容物を保持する１又は複数の保持手段（収容物保持手段）２からなる収容物保持機構１を有し、収容物保持機構１は、開口１７から挿入した収容物を、その上縁部を開口１７から外部へ突出させた展示状態、及び／又は、その上端部を開口１７より下に納める収納状態で、内部に保持することができる（図１７〜図１９参照）。ここで、収容物は、上記のように、主としてＤＶＤ、ＣＤ、ゲームソフト記録媒体あるいは紙媒体等の記録メディア又はこのような記録メディアを入れた記録メディアケースであるが、これらと同程度の大きさ、厚さを有する物も収容物として含み、特に限定されない。
【００４０】
（開閉型陳列ケース）
本発明の記録メディア陳列ケース１０は、例えば、蓋側面板１１Ｃに、正面板１４Ｃ及び底面板１５Ｃを起立させた蓋ケース１０Ｃと、本体側面板１１Ｂに、本体正面板１４Ｂ及び本体底面板１５Ｂを起立させた本体ケース１０Ｂとが、継手部１２を介して背面板１３と開閉自在に連結されていてもよい（図２０参照）。そして、本体ケース１０Ｂの本体底面板１５Ｂと本体正面板１４Ｂとを、それぞれ蓋ケース１０Ｃの底面板１５Ｃと正面板１４Ｃとが覆った閉状態でケース１０を構成されてもよい。そして上述のように、内部表面に、開口１７から挿入した収容物の下端部に当接してこれを保持する収容物保持機構１を有している。
２．フリップを用いた保持手段
２−１．フリップを用いた保持手段の基本構成
【００４１】
（フリップ）
本実施形態の記録メディア陳列ケース１０において、保持手段２は、図１０〜図１３に示すように、内部表面に形成されて当該内部表面方向に起立可能であると共に起立時に復元力を有するフリップ３（図１０参照）と、内部表面に形成され、起立させた該フリップ３の復元を阻止する復元阻止手段４（図１２、図１３参照）と、から構成される。
【００４２】
図１０（ａ）、（ｂ）に示すように、フリップ３は、一方の外端部３１ａと他方の外端部３１ａとを有し、内部表面に穿設された薄肉溝３１と、内表面と外表面を外側縁部３２で画された板状のフリップ片３０とからなる。フリップ片３０は、一方の外端部３１ａと他方の外端部３１ａとを結ぶ切断線３２により内部表面と画されて外側縁部３２が形成され、薄肉溝３１を軸として内部表面方向に起立可能であると共に起立姿勢において復元力を有している。そして、保持手段２は、起立させたフリップ片３０（又は５０）を下記する復元阻止手段４に係止又は支持させて、フリップ３（又はフリップホルダ５）の起立姿勢を維持可能である（図１２、図１３、図５、図８参照）。
【００４３】
（指掛け孔）
なお、フリップ片３０を起立させる際に指に掛けやすくするため、図１０（ａ）、（ｂ）のように、一方の側面板を貫通させて、その一方の側面板に形成されたフリップ片３０の外側切断線３２と、これと面一の当該一方の側面板との間に指掛け孔３３を設けてもよい。
【００４４】
本実施形態の記録メディア陳列ケース１０は、起立姿勢のフリップ片３０が、開口１７から挿入した収容物の下端部を支持し、又はその上端部の開口１７への突出を制止して、上記展示状態又は収納状態で、収容物を内部に保持することができる。以下に、フリップ３を用いた保持手段２について、具体的に説明する。
２−２．側面版上の底面板と平行なフリップを用いた保持手段
【００４５】
（底面板と平行なフリップを用いた保持手段）
本実施形態では、底面板１５Ｃと平行なフリップ３を用いた保持手段２を有する記録メディア陳列ケース１０について説明する。
【００４６】
本実施形態の記録メディア陳列ケース１０において、保持手段２は、内部表面に突設され、起立させたフリップ３の復元を阻止する復元阻止手段４と、蓋側面板１１Ｃ又は本体側面板１１Ｂの一方の側面板において、薄肉溝３１が復元阻止手段４の直上に底面板１５Ｃと平行に穿設されて、フリップ片３０が該薄肉溝３１の底面板１５Ｃ側に形成されたフリップ３と、から構成される。このような記録メディア陳列ケース１０においては、薄肉溝３１を軸にして起立したフリップ片３０が、復元阻止手段４に係止又は支持され、起立状態の該フリップ片３０の内表面が、開口１７から挿入した収容物の下端部に当接してこれを展示状態又は収納状態で保持することができる。
【実施例１】
【００４７】
（フリップと凸部を用いた保持手段１）
具体的には、復元阻止手段４は、例えば図１１（ｂ）に示すような、正面板１４Ｂ又は１４Ｃ（以下、「正面板１４Ｂ等」とも記載する）及び／又は背面板１３に突設された傾斜状凸部４４である。あるいは復元阻止手段４は、図示しないが、正面板１４Ｂ等及び／又は背面板１３に突設された凸部４２であってもよい。
【００４８】
図１１（ｂ）に示すように、薄肉溝３１は、傾斜状凸部４４（又は凸部４２）の直上に、底面板１５Ｃと平行に穿設される。そして、図１３に示すように、フリップ片３０の正面板１４Ｂ等及び／又は背面板１３に近接した側縁部が、傾斜状凸部４４（又は凸部４２）を乗り越えて起立し、傾斜状凸部４４（又は凸部４２）がその側縁部を係止して起立状態のフリップ片３０の復元を阻止することができる。このようにして、本実施例の記録メディア陳列ケース１０が備える保持手段２は、起立状態のフリップ片３０が、開口１７から挿入した収容物の下端部に当接してこれを展示状態又は収納状態で保持することができる。
【実施例２】
【００４９】
（フリップと凸部を用いた保持手段２）
本実施例２において、復元阻止手段４は、図１１（ａ）に示すような、蓋側面板１１Ｃ又は本体側面板１１Ｂの一方の側面板の、正面板１４Ｂ等及び／又は背面板１３の近傍に突設された凸部４２又は傾斜状凸部４４である。
【００５０】
図１１（ａ）に示すように、実施例１と同様、薄肉溝３１は、傾斜状凸部４４（又は凸部４２）の直上に、底面板１５Ｃと平行に穿設される。そして、図１２に示すように、フリップ片３０の正面板１４Ｂ等及び／又は背面板１３に近接した側縁部に設けた切欠き３４が、傾斜状凸部４４（又は凸部４２）を乗り越えて起立し、傾斜状凸部４４（又は凸部４２）が切欠き３４を係止して起立状態のフリップ片３０の復元を阻止することができる。このようにして、本実施例の記録メディア陳列ケース１０が備える保持手段２は、起立状態のフリップ片３０が、開口１７から挿入した収容物の下端部に当接してこれを展示状態又は収納状態で保持することができる。
【実施例３】
【００５１】
（フリップとスペーサーを用いた保持手段）
本実施例３において、保持手段２は、図１１（ｃ）に示すように、スペーサー４６（復元阻止手段４）とフリップ３とから構成される。スペーサー４６は、蓋側面板１１Ｃ又は本体側面板１１Ｂの一方の側面板の、正面板１４Ｂ等及び／又は背面板１３の近傍に突設される。また、フリップ３は、蓋側面板１１Ｃ又は本体側面板１１Ｂの一方の側面板において、薄肉溝３１がスペーサー４６の直上に底面板１５Ｃと平行に穿設されて、フリップ片３０が薄肉溝３１の開口１７側に形成される。
【００５２】
本実施例の記録メディア陳列ケース１０が備える保持手段２は、開口１７から挿入された収容物を受けて底面板１５Ｃ方向にフリップ片３０が起立し、正面板１４Ｂ等及び／又は背面板１３に近接したフリップ片３０の側縁部が、スペーサー４６に支持されて当該収容物を展示状態又は収納状態で保持することができる。
２−３．フリップホルダを用いた保持手段
【００５３】
本実施形態における保持手段２は、フリップ３における薄肉溝３１の中央に立設された凸部が復元阻止手段４として機能するフリップホルダ５である（図４〜図９参照）。フリップホルダ５は、フリップ３に復元阻止手段４の機能を付加したフリップ３の一態様である。
【００５４】
図４又は図７を参照して、フリップホルダ５は、フリップ３の薄肉溝３１と同様の薄肉溝５１上で、一方の外端部５１ａと他方の外端部５１ａを内分する一方の内端部５１ｂと他方の内端部５１ｂ間に凸部６１（又は先端凸部６２ｔ）が立設される。フリップ片５０は、一方の外端部５１ａと他方の外端部５１ａとを結ぶ外側切断線５２ａにより外側縁部５２ａが一方の側面板１１Ｂ又は１１Ｃと画されると共に、凸部６１（又は先端凸部６２ｔ）との間に空隙６３を設けて一方の内端部５１ｂと他方の内端部５１ｂとを結ぶ内側切断線５２ｂにより内側縁部５２ｂが当該一方の側面板１１Ｂ又は１１Ｃと画される。
【００５５】
このようなフリップホルダ５は、薄肉溝５１を軸として外側縁部５２ａを内部表面方向に持ち上げたフリップ片５０の内側縁部５２ｂが、凸部６１（又は先端凸部６２ｔ）を乗り越えて側面板１１Ｂ又は１１Ｃの内部表面方向に起立可能であると共に、起立させたフリップ片５０を凸部６１（又は先端凸部６２ｔ）に係止させ、フリップ５の起立姿勢を維持可能である。そして、起立姿勢のフリップ片５０が、開口１７から挿入した収容物の下端部を支持し、又は収容物の上端部が開口１７から突出するのを制止することができる（図５、図８参照）。以下、凸部型復元阻止手段を備えるフリップホルダ５と凹部型復元阻止手段を備えるフリップホルダ５との２種類のフリップホルダ５の構成について説明する。
【００５６】
（フリップホルダ；凸部型復元阻止手段）
凸部型復元阻止手段を備えるフリップホルダ５は、図４（ａ）、（ｂ）に示すように、フリップ３と復元阻止手段４とが一体化されて、蓋側面板１１Ｃ又は本体側面板１１Ｂの一方の側面板に形成された凸部型復元阻止手段を有するフリップホルダ５である。
【００５７】
本実施形態の凸部型復元阻止手段を備えるフリップホルダ５は、フリップ３の薄肉溝５１が、一方の外端部５１ａ、一方の内端部５１ｂを有する薄肉溝５１１、及び、他方の内端部５１ｂ、他方の外端部５１ａを有する薄肉溝５１２の２つの薄肉溝５１１、５１２から構成される。そして、この２つの薄肉溝５１１、薄肉溝５１２の一方の内端部５１ｂと他方の内端部５１ｂ間に立設された凸部６１が復元阻止手段４として機能する。
【００５８】
また、フリップ片５０は、一方の外端部５１ａと他方の外端部５１ａとを結ぶ外側切断線５２ａにより外側縁部５２ａが一方の側面板１１Ｂ又は１１Ｃと画されると共に、凸部６１との間に空隙６３を設けて内端部５１ｂ、５１ｂとを結ぶ内側切断線５２ｂにより内側縁部５２ｂが当該一方の側面板１１Ｂ又は１１Ｃと画される。図４（ａ）、（ｂ）のように、一方の側面板１１Ｂ又は１１Ｃを貫通させて、この一方の側面板１１Ｂ又は１１Ｃに形成されたフリップ片５０の外側切断線５２ａと、これと面一の一方の側面板１１Ｂ又は１１Ｃとの間に指掛け孔５３を設けるのが好ましい。例えば指掛け孔５３に指を差し込んで、外側縁部５２ａ（切断線５２ａ）を内部表面方向に持ち上げることにより、フリップ片５０を一方の側面板から起立させることができる。
【００５９】
このような本実施形態の記録メディア陳列ケース１０において、薄肉溝５１１と薄肉溝５１２を軸として外側縁部５２ａ（外側切断線５２ａ）を持ち上げたフリップ片５０は、その内側縁部５２ｂ（内側切断線５２ｂ）が凸部６１を乗り越えて側面板の内部表面方向に起立することができ、この起立させたフリップ片５０の復元を凸部６１が係止して阻止することができる（図５、図６参照）。
【００６０】
（フリップホルダ；凹部型復元阻止手段）
本実施形態におけるもう一つのフリップホルダ５は、図７（ａ）、（ｂ）に示すように、フリップ３と復元阻止手段４とが一体化されて、蓋側面板１１Ｃ又は本体側面板１１Ｂの一方の側面板に形成された凹部型復元阻止手段を有するフリップホルダ５である。
【００６１】
この凹部型復元阻止手段備えるフリップホルダ５は、一方の内端部５１ｂと他方の内端部５１ｂ間に、先端凸部６２ｔを内部表面から突出させるように穿設された凹部６２が復元阻止手段４として機能する。また、フリップ片５０は、一方の外端部５１ａと他方の外端部５１ａとを結ぶ外側切断線５２ａにより外側縁部５２ａが一方の側面板１１Ｃ又は１１Ｂと画されると共に、先端凸部６２ｔとの間に空隙６３を設けて一方の内端部５１ｂと他方の内端部５１ｂとを結ぶ内側切断線５２ｂにより内側縁部５２ｂが当該一方の側面板１１Ｃ又は１１Ｂと画されている。図７（ａ）、（ｂ）のように、上述した指掛け孔５３を設けて、例えばこの指掛け孔５３に指を差し込んで外側縁部５２ａ（切断線５２ａ）を内部表面方向に持ち上げて、フリップ片５０を一方の側面板から起立させることができる。
【００６２】
このような本実施形態の記録メディア陳列ケース１０において、薄肉溝５１１と薄肉溝５１２を軸として外側縁部５２ａ（外側切断線５２ａ）を内部表面方向に持ち上げたフリップ片５０は、その内側縁部５２ｂ（内側切断線５２ｂ）が、凹部６２の先端凸部６２ｔを乗り越えて側面板１１Ｃ又は１１Ｂの内部表面方向に起立可能である。そして、起立したフリップ片５０の復元を、先端凸部６２ｔが係止して阻止することができる（図８、図９参照）。
２−４．フリップホルダを用いた保持手段の実施例
【００６３】
以上に説明したフリップホルダ５を用いた保持手段２の実施例として、以下、上端が平坦なフリップホルダを用いた保持手段（実施例４）、フリップーフリップホルダ組合せ型保持手段２（実施例５）とフリップホルダ型蓋部（実施例６）について説明する。
【実施例４】
【００６４】
（フリップ片の上端が平坦な保持手段）
本実施例に係るフリップホルダ５を用いた保持手段２は、図１や図１７（ａ）のように、薄肉溝５１が、正面板１４Ｂ等及び背面板１３と平行に、一方の側面板に穿設される。上述のようにフリップ片５０は、薄肉溝５１を軸にして起立可能であり、開口１７側の縁部に相当する上縁部が、底面板１５Ｃと平行な平坦部を有している。本実施例４の保持手段２において、復元阻止手段４は、フリップホルダ５に設けられた凸部６１又は凹部６２である。
【００６５】
このようなフリップホルダ５を用いた保持手段２により、本実施例４に係る記録メディア陳列ケース１０は、図１７（ｂ）のように、起立状態のフリップ片５０上縁部の平坦部が、開口１７から挿入した収容物の下端部に当接して、収容物を展示状態又は収納状態で保持することができる。
【実施例５】
【００６６】
（フリップ−フリップホルダ組合せ型保持手段）
本実施例５に係る保持手段２は、図２、図３のように、薄肉溝３１が一方の側面板１１Ｃ上に、底面板１５Ｃと平行に穿設された１又は複数のフリップ３と、および、一方の側面板１１Ｃと対向する他方の側面板１１Ｂに、底面板１５Ｃと略直角方向に薄肉溝５１が穿設された、１又は複数のフリップホルダ５と、から構成される。本実施例に係る保持手段２は、フリップホルダ５が復元阻止手段４としてフリップ３を支持するフリップホルダ組合せ型の保持手段２である。
【００６７】
このようなフリップ−フリップホルダ組合せ型保持手段２により、本実施例５に係る記録メディア陳列ケース１０は、一方の側面板底面板１１Ｃの内部表面側に起立したフリップ３を、他方の側面板１１Ｂの内部表面側に起立したフリップホルダ５が支持して、一方の側面板１１Ｃに起立したフリップ３のフリップ片３０が、開口１７から挿入した収容物の下端部に当接してこれを展示状態又は収納状態で保持することができる。
【実施例６】
【００６８】
（フリップホルダ型蓋部）
本実施形態の保持手段２は、図１５、図１７に示すように、薄肉溝５１が底面板１５Ｃと平行に一方の側面板に穿設されて、フリップホルダ５が上端１６（又は開口７）近傍に設けられている。このような記録メディア陳列ケース１０は、一方の側面板に起立したフリップホルダ５のフリップ片５０が、開口１７から挿入したメディアディスクの上端部に当接してメディアディスクの突出を制止することができ、これを収納状態で保持することができる。
３．その他の保持手段
【００６９】
本発明に係る記録メディア陳列ケース１０が備える収容物保持機構１の要素（収容物保持手段２）は、上述したフリップ３と復元阻止手段４とのコンビネーション（フリップホルダ５を含む）の他に、記録メディアケース受け部や嵌合溝を設けた収容物保持機構１があり得る。あるいは、フリップホルダ５（又はフリップ３）を利用した蓋部２４も保持手段２であり得る。
【００７０】
（記録メディアケース受け部）
本実施形態の保持手段２は、図１５、図１７に示すように、蓋側面板１１Ｃ又は本体側面板１１Ｂのいずれか一方に逆Ｌ字状に立設された受け部２０である。この逆Ｌ字状の受け部２０は、底面板１５Ｃと平行な底部と、底部の先端に、蓋側面板１１Ｃ又は本体側面板１１Ｂと平行に接続された抑え部とからなる。そしてこの底部が、開口１７から挿入した収容物２００の下端部を支持すると共に、抑え部が、底部により下端部を支持された収容物の揺動を抑止して、これを展示状態又は収納状態で保持することができる。
【００７１】
（袋状記録メディアケースを収容可能な記録メディア陳列ケース）
本実施形態の保持手段２は、図１８、図１９に示すように、蓋側面板１１Ｃ及び／又は前記本体側面板１１Ｂに突設させた嵌合部２２を含む。このような嵌合部２２を備える記録メディア陳列ケース１０は、図２２（ａ）、（ｂ）に示すような、メディアディスクの中央に設けられた穴部１０２に、中央に設けた穴部２１２を一致させて当該メディアディスクを挿入した袋状記録メディアケース２１０を収容可能である（図１８、図１９参照）。あるいは、メディアディスクの穴部１０２に嵌合部２２を嵌合させて、裸のメディアディスクをそのまま収容することもできる。
【００７２】
このような保持手段２を具備する本実施形態の記録メディア陳列ケース１０は、嵌合部２２を、袋状記録メディアケース２１０及び／又はメディアディスクの穴部１０２に嵌合させて、これを展示状態又は収納状態で保持することができる。
４．保持手段を組み合わせた記録メディア陳列ケースの実施例
【００７３】
（ｎ段の保持手段からなる収容物保持機構）
本発明に係る記録メディア陳列ケース１０の収容物保持機構１は、上述したフリップ３を用いた保持手段２、即ちフリップ３と復元阻止手段４とのコンビネーション（フリップホルダ５を含む）からなる保持手段２や、記録メディアケース受け部２０や嵌合部２２などの他の保持手段２、あるいは蓋部２４等の要素を組み合わせて構成することもできる。
【００７４】
すなわち、このような複数の保持手段２の要素を組み合わせた本発明の記録メディア陳列ケース１０は、収容物保持機構１が、図１４のようにｎ個の保持手段（ｎは２以上の整数）から構成され、このｎ個の保持手段２は、底面板１５Ｃからの距離がｄｋ（ｄｋ＞ｄｋ−１；ｋ＝２、・・・、ｎ）となるように、底面板１５Ｃと平行に内部表面に形成される。そして、開口１７から挿入した収容物の大きさや種類によって、底面板１５Ｃからの距離ｄｋの保持手段２を選択可能することができ、選択する保持手段２を変えることで、当該収容物を展示状態および収納状態の何れの状態でも保持することが可能である。
【００７５】
例えば図１５（ａ）に示す記録メディア陳列ケース１０は、２つのフリップホルダ５からなる保持手段２と、受け部２０、蓋部２４の保持手段２とのコンビネーションを備えている。開口１７から挿入する収容物の種類によって、図１５（ｂ）のように、例えば２つのフリップホルダ５を起立させて収容物を記録メディア陳列ケース１０内に展示状態又は収納状態で保持することができる。
【００７６】
あるいは、図１６（ａ）に示すように、記録メディア陳列ケース１０は、２つのフリップホルダ５からなる保持手段２と、嵌合部２２の保持手段２とのコンビネーションを備えてもよい。このような記録メディア陳列ケース１０も、開口１７から挿入する収容物の種類によって、例えば図１６（ｂ）のように２つのフリップホルダ５を起立させて収容物を展示状態又は収納状態で保持することができる。
【実施例７】
【００７７】
実施例７に係る記録メディア陳列ケース１０において、保持手段２は、図１７（ａ）に示すように、２つのフリップホルダ５からなる保持手段２と、受け部２０、蓋部２４とのコンビネーションである。
【００７８】
本実施例の記録メディア陳列ケース１０は、記録メディアケース２００を、２つのフリップホルダ５からなる保持手段２により、図１７（ｂ）のように展示状態で保持することができる。あるいは図１７（ｃ）のように、記録メディアケース２００の下端部を受け部２０で支持して収納状態で保持し、更に蓋部２４により蓋をして記録メディアケース２００が開口１７から突出するのを防ぐことができる。
【実施例８】
【００７９】
実施例８に係る記録メディア陳列ケース１０において、保持手段２は、図１８（ａ）に示すように、２つのフリップホルダ５からなる保持手段２と、嵌合部２２とのコンビネーションである。嵌合部２２は、保持手段２として、記録メディア又はこれを収納した袋状記録メディアケース２１０を保持することができる。
【００８０】
本実施例の記録メディア陳列ケース１０は、袋状記録メディアケース２１０を、２つのフリップホルダ５からなる保持手段２により、図１８（ｂ）のように展示状態で保持することができる。あるいは、図１８（ｃ）のように２つのフリップホルダ５を閉じて、袋状記録メディアケース２１０を嵌合部２２に嵌合させ、これを収納状態で保持することができる。
【実施例９】
【００８１】
実施例９に係る記録メディア陳列ケース１０は、上記実施例７の記録メディア陳列ケース１０に、保持手段２として、蓋部２４を追加したものである。すなわち、保持手段２は、図１９（ａ）に示すように、２つのフリップホルダ５からなる保持手段２と、嵌合部２２と蓋部２４とのコンビネーションである。
【００８２】
本実施例の記録メディア陳列ケース１０は、袋状記録メディアケース２１０を、２つのフリップホルダ５からなる保持手段２により、図１８（ｂ）のように展示状態で保持することができる。あるいは、図１８（ｃ）のように２つのフリップホルダ５を閉じて、袋状記録メディアケース２１０を嵌合部２２に嵌合させて、これを収納状態で保持することができるほか、更に蓋部２４により蓋をして袋状記録メディアケース２１０が開口１７から突出するのを防ぐことができる。
【００８３】
以上、本発明に係る記録メディア陳列ケースについて説明したが、本発明は上記実施形態及び実施例に限定されるものではない。本明細書等において、蓋ケースを右側に、本体ケースを左側としたが、左右逆転してもよい。また、凸部などの復元阻止手段の形状も限定されず、スペーサー及びフリップ、フリップホルダの形状も特に限定されない。さらに、本発明に係る記録メディア陳列ケースの材質や厚さ、大きさ、方形の形状の縦横比等も特に限定されず、これに収容する収容物も記録メディア、記録メディアケースに特に限定されず、任意である。
【００８４】
その他、本発明は、その主旨を逸脱しない範囲で当業者の知識に基づき種々の改良、修正、変更を加えた態様で実施できるものである。
【産業上の利用可能性】
【００８５】
本発明に係る記録メディア陳列ケースは、ディスク型のＣＤ（Compact Disk）やＤＶＤ（Digital Versatile Disk）、カード型のゲームソフト記録媒体など、円盤型やカード型などの半導体メモリ、磁気ディスク、光ディスクを収容できるほか、雑誌、コミック、名刺、用紙などの紙媒体に情報を固定する記録メディアも収容することができ、例えばレンタルショップや図書館、会社、書斎等の陳列棚、書架、書棚などで陳列、保存等するのに利用することができる。
【符号の説明】
【００８６】
１：収容物保持機構  
２：収容物保持手段（保持手段）
３：フリップ
４：復元阻止手段
５：フリップホルダ
１０：（メディア）記録メディア陳列ケース
１０Ｃ：蓋ケース
１０Ｂ：本体ケース
１１Ｃ：蓋側面板  
１１Ｂ：本体側面板
１２：継手部  
１３：背面板  
１４Ｃ：正面板  
１４Ｂ：本体正面板  
１５Ｃ：底面板
１５Ｂ：本体底面板  
１６：上端
１７：開口  
２０：受け部（記録メディアケース受け部）
２２：嵌合部
２４：蓋部
３０：フリップ片
３１：薄肉溝
３１ａ：外端部
３２：外側縁部（外側切断線）
３３：指掛け孔
３４：切欠き
４２：凸部
４４：傾斜状凸部
４６：スペーサー
５０：フリップ片
５１：薄肉溝
５１ａ：外端部
５１ｂ：内端部
５１１：第１薄肉溝
５１２：第２薄肉溝
５２：切断線
５２ａ：外側縁部（外側切断線）
５２ｂ：内側縁部（内側切断線）
５３：指掛け孔
６１：凸部
６２：凹部
６３：空隙
６２ｔ：先端凸部
１０２：穴部
２００：記録メディアケース（収容物）
２１０：袋状記録メディアケース（収容物）
２１２：穴部（袋状メディア記録メディアケースの穴部）
【図１】
2020183254.tif 000003
【図２】
2020183254.tif 000004
【図３】
2020183254.tif 000005
【図４】
2020183254.tif 000006
【図５】
2020183254.tif 000007
【図６】
2020183254.tif 000008
【図７】
2020183254.tif 000009
【図８】
2020183254.tif 000010
【図９】
2020183254.tif 000011
【図１０】
2020183254.tif 000012
【図１１】
2020183254.tif 000013
【図１２】
2020183254.tif 000014
【図１３】
2020183254.tif 000015
【図１４】
2020183254.tif 000016
【図１５】
2020183254.tif 000017
【図１６】
2020183254.tif 000018
【図１７】
2020183254.tif 000019
【図１８】
2020183254.tif 000020
【図１９】
2020183254.tif 000021
【図２０】
2020183254.tif 000022
【図２１】
2020183254.tif 000023
【図２２】
2020183254.tif 000024